(57)【特許請求の範囲】
【請求項１】
釣り糸(T) を巻回するスプール本体(1) と、スプール本体(1) に形成された巻き終端係止部(2) とを備え、
スプール本体(1) が、胴部(3) と、胴部(3) の軸方向の両端側に設けられた鍔部(4)(4)とを備えることにより、胴部(3) の外周における両鍔部(4)(4)間に、釣り糸(T) を巻回する巻回部(5) が区画形成され、
巻き終端係止部(2) が、巻回部(5) の外側、且つ巻回部(5) の径内側に、周方向に並設された少なくとも二つの係止体(21)(34)(35)を備え、
これらの周方向に並設された係止体(21)(34)(35)の少なくとも一方が、撓み得るように形成されたものであり、
二つの係止体(21)(34)(35)の間の部分(22)に、巻回部(5) に巻回された釣り糸(T) の巻き終端部(T1)が巻回部(5) から外に出されて係止されるものであることを特徴とする釣り糸用スプール。
【請求項２】
巻き終端係止部(2) が、スプール本体(1) と一体的に形成されたものであることを特徴とする請求項１記載の釣り糸用スプール。
【請求項３】
二つの係止体(21)(34)(35)の少なくとも一方が、軸方向に撓み得るように形成されたものであることを特徴とする請求項１又は２記載の釣り糸用スプール。
【請求項４】
二つの係止体(21)(34)(35)の少なくとも一方が、軸方向の両側を開放するようにして形成されたものであることを特徴とする請求項１〜３のいずれかに記載の釣り糸用スプール。
【請求項５】
二つの係止体(21)(34)(35)の一方が、スプール本体(1) における巻回部(5) の径内側に設けられた補強リブ(34)からなるものであることを特徴とする請求項１〜４のいずれかに記載の釣り糸用スプール。
【発明の詳細な説明】
【０００１】
【発明の属する技術分野】
本願発明は、釣り糸を巻回する釣り糸用のスプールの改良に関するものである。
【０００２】
【従来の技術】
釣り糸を巻回する釣り糸用のスプールとして、例えば図１０(A)(B)に示すようなものが従来から知られている。このものは、胴部ａと、胴部ａの軸方向の両端側に設けられた鍔部ｂ、ｂとを備え、又、一方の鍔部ｂに、鍔部ｂの外周から、釣り糸Ｔの径よりやや細幅に切り込んだ係止用溝ｃを備えたものとし、胴部ａの外周における両鍔部ｂ、ｂ間に釣り糸Ｔを順次巻回するとともに、その巻回した釣り糸Ｔの巻き終端部Ｔ１を係止用溝ｃに押し込むことにより、釣り糸Ｔの巻き終端部Ｔ１を係止しておけるようにしたものである。ところが、巻回した釣り糸Ｔの巻き終端部Ｔ１を係止しておく巻き終端係止部を、鍔部ｂの外周から切り込んだ係止用溝ｃから構成し、胴部ａの外周における両鍔部ｂ、ｂ間に巻回した釣り糸Ｔの巻き終端部Ｔ１を、単に係止用溝ｃに通しているだけのため、釣り糸Ｔの巻き終端部Ｔ１が係止用溝ｃを滑り易く、緩むおそれがある。又、この場合において、係止用溝ｃの溝幅を狭くしておけば釣り糸Ｔの巻き終端部Ｔ１を滑り難くできるが、その場合は、釣り糸Ｔを傷めてしまう。また、このような係止用溝ｃでは、一種類の径の釣り糸Ｔしか使用できず、種々の径の釣り糸Ｔに対応させることができない。
【０００３】
そこで、この課題を解決するものとして、例えば実用新案登録第３０３３２２４８号に提案されたものがある。このものは、図１１(A)(B)に示すように胴部ａと鍔部ｂ、ｂとを有するスプール本体ｄと、スプール本体ｄに設けた巻き終端係止部ｅとを備え、この巻き終端係止部ｅを、スプール本体ｄにおける胴部ａの径内側の部分に、スプール本体ｄの成型に際して一体的に形成した挾持体ｅ１を備えるとともに、その挾持体ｅ１における軸方向の前方側に、スプール本体ｄとは別体のものから形成した可撓性を有する挾持片ｅ２を備えたものとし、挾持片ｅ２を挾持体ｅ１に取り付けることにより、挾持体ｅ１の前面側と挾持片ｅ２の後面側との間に、巻回した釣り糸Ｔの巻き終端部Ｔ１を押し入れれば、挾持体ｅ１が前方側に撓んでその間に形成される隙間ｇに釣り糸Ｔの巻き終端部Ｔ１が入り込み、入り込んだ後は、挾持片ｅ２の弾性によって巻き終端部Ｔ１を挾持できるようにしたものである。尚１１(A) 中のｆ…ｆは、補強リブを示す。
【０００４】
しかしながら、このものにおいては、挾持片ｅ２を、スプール本体ｄとは別体のものから形成しているため、スプール本体ｄと挾持片ｅ２を別途に成型しなければならず、しかも、これらを組み付けなければならず、製作に時間を要するとともに、コスト高になってしまっている。
【０００５】
又、挾持体ｅ１と軸方向に並設した挾持片ｅ２が、挾持体ｅ１に対して軸方向に撓むため、図１２に示すように複数回の使用によって挾持片ｅ２が湾曲状に塑性変形すると、挾持体ｅ１と挾持片ｅ２との間の隙間ｇが大きくなってしまい、挾持片ｅ２の弾性力による挾持力が弱くなってしまう。その結果、複数回の使用により挾持体ｅ１と挾持片ｅ２との間に巻き終端部Ｔ１を入れても、巻き終端部Ｔ１が挾持体ｅ１と挾持片ｅ２との間を滑ってしまうという課題を有する。
【０００６】
【発明が解決しようとする課題】
本願発明は、以上の実情に鑑み提案されたもので、複数回の使用によっても釣り糸の巻き終端部を確実に係止しておくことのできる釣り糸用スプールの提供を第１の目的とする。
【０００７】
本願発明は、容易に低コストで製作できる釣り糸用スプールの提供を第２の目的とする。
【０００８】
【課題を解決するための手段】
本願発明は、以下の特徴を有する釣り糸用スプールを提供することにより上記課題を解決する。
本願第１の発明は、釣り糸Ｔを巻回するスプール本体１と、スプール本体１に形成された巻き終端係止部２とを備え、スプール本体１が、胴部３と、胴部３の軸方向の両端側に設けられた鍔部４、４とを備えることにより、胴部３の外周における両鍔部４、４間に、釣り糸Ｔを巻回する巻回部５が区画形成され、巻き終端係止部２が、巻回部５の外側、且つ巻回部５の径内側に、周方向に並設された少なくとも二つの係止体２１、３４、３５を備え、これらの周方向に並設された係止体２１、３４、３５の少なくとも一方が、軸方向に撓み得るように形成されたものであり、二つの係止体２１、３４、３５の間の部分(22)に、巻回部５に巻回された釣り糸Ｔの巻き終端部Ｔ１が巻回部５から外に出されて係止されるものであることを特徴とする釣り糸用スプールを提供する。
【０００９】
本願の第２の発明は、上記の第１の発明に係る釣り糸用スプールにおいて、巻き終端係止部２が、スプール本体１と一体的に形成されたものであることを特徴とするものを提供する。
【００１０】
本願の第３の発明は、上記の第１又は第２の発明に係る釣り糸用スプールにおいて、二つの係止体２１、３４、３５の少なくとも一方が、軸方向に撓み得るように形成されたものであることを特徴とするものを提供する。
【００１１】
本願の第４の発明は、第１〜第３の何れかの発明に係る釣り糸用スプールにおいて、二つの係止体２１、３４、３５の少なくとも一方が、軸方向の両側を開放するようにして形成されたものであることを特徴とするものを提供する。
【００１２】
以上のように構成された本願発明においては、二つの係止体２１、３４、３５を周方向に並設するとともに、撓み得るように形成したものとする。こうすることにより、図６(A)(B)に示すように、複数回の使用により係止体としての突片２１が湾曲状に塑性変形した場合でも、補強リブ３４と突片２１との間の周方向の隙間６は変わることがなく、巻き終端部Ｔ１を突片２１の弾性によって確実に挾持しておくことができる。
【００１３】
本願第２の発明においては、巻き終端係止部２を、スプール本体１と一体的に形成したものとするため、従来のように別途に成型して組み付けなくても良く、容易に、低コストで製作できる。
【００１４】
なお、一体的に形成する場合、係止体２１を、軸方向の両側を開放するようにして形成したものとする。例えば係止体２１の軸方向の後方側に他の部材を配位させていると、他の部材が邪魔になって２つの割り型で係止体用の鋳型部を区画成形して係止体２１を成形できないが、係止体２１における軸方向の両側を開放して形成しておくようにすれば、スプール本体１の成型に際し、２つの割り型で係止体用の鋳型部を区画成形して係止体２１を一体的に成型することができる。これにより、容易に短時間で、しかも低コストで製作し得るものとなる。
【００１５】
より具体的には、本願発明では、二つの係止体２１、３４、３５を、胴部３の軸方向と交わる方向に設けたものとしている。これに対して、例えば図１１(A)(B)に示す従来品のように、挾持体ｅ１と挾持片ｅ２とを軸方向に沿う方向に並設させる場合は、挾持片ｅ２の軸方向の後面側に挾持体ｅ１が配位されているため、挾持体ｅ１が邪魔になって２つの割り型で挾持片用鋳型部を区画成形して挾持片ｅ２を成形できず、挾持片ｅ２と挾持体ｅ１とを切り離して隙間ｇを形成できない。そのため、スプール本体の成型に際して挾持体ｅ１及び挾持片ｅ２を一体的に成型するのは、技術的に困難である。しかし、本願発明のように、例えば図１(A) に示すように、二つの係止体２１、３４、３５としての突片２１と補強リブ３４とを、周方向に並設する場合には、突片２１における軸方向の両側を開放して空間部を形成しておくことができ、スプール本体１の成型に際し、２つの割り型で突片用鋳型部を区画成形して突片２１を一体的に成型することができる。これにより、容易に短時間で、しかも低コストで製作し得る。
【００１６】
本願の第５の発明は、上記の各発明の何れかにおいて、二つの係止体２１、３４、３５の一方が、スプール本体１における巻回部５の径内側に設けられた補強リブ３４からなるものであることを特徴とする釣り糸用スプールを提供する。こうすることにより、従来の釣り糸用スプールの補強リブを、二つの係止体の内の一つとして利用でき、経済的なものにできる。
【００１７】
【発明の実施の形態】
以下、図を基に本願発明の一実施形態を具体的に説明する。
図１(A) は、本願発明の一実施形態の釣り糸用スプールの正面図、図１(B) は、その平面図、図２(A) は、その背面図、図２(B) は、図１(A) のII−II線断面図である。
【００１８】
本願発明の釣り糸用スプールは、スプール本体１と、スプール本体１に形成された巻き終端係止部２とを備えている。
【００１９】
スプール本体１は、胴部３と、鍔部４、４とを備えている。胴部３は、円筒状を呈し、外周３１と内周３２との間における前面側は開口されており、後面側は、後壁３０によって閉ざされている。又、前面と後面との間には、径方向に伸ばされた板状の六つの補強リブ３４…３４が設けられており、これらの補強リブ３４…３４よって前面と後面との間に前面開口の孔３３…３３が区画形成されている。また、後壁３０には、孔３３に貫通する穿設孔３０ａが穿設されている。この穿設孔３０ａは、突片注型用の２つの割り型（図示せず）で突片注型部を区画形成して後述する突片２１をスプール本体１と一体成型する際に、一方の割り型を他方の割り型に後方側から挿入するために他方の割り型に設けた孔によって形成されたもので、突片２１と略同形状を呈している。
【００２０】
鍔部４、４は、胴部３の軸方向の前端側と後端側との各々に配位されている。又、各鍔部４、４は、胴部３の全外周から径外方向に延設されており、この鍔部４、４の延設によって、胴部３の外周における両鍔部４、４間に、釣り糸Ｔを巻回する巻回部５が区画形成されている。また、前方側の鍔部４には、案内溝４１が備えられている。この案内溝４１は、釣り糸Ｔを巻き終端係止部２に案内するためのもので、釣り糸Ｔの径よりやや大きい幅で、外周から胴部３の孔３３にかけて、径方向に対して傾斜状に切り込まれるようにして形成されている。このように形成された案内溝４１の径外側が入り口４１ａをなし、この入り口４１ａから案内溝４１内に釣り糸Ｔの巻き終端部Ｔ１を入れる。又、図３(A) に示すように、この入り口４１と鍔部４の外周との境界部４２、４２は、先鋭状に形成されている。
【００２１】
巻き終端係止部２は、スプール本体１の巻回部５に巻回された釣り糸Ｔの巻き終端部Ｔ１を係止するためのもので、この実施形態での巻き終端係止部２は、図１(A) 及び図３(A)(B)に示すように鍔部４の案内溝４１の径内側、且つ、穿設孔３０ａの前方側に設けられた可撓性を有する舌片状の突片２１を備えたものとされている。この突片２１は、軸部２３と、軸部２３の先端側に、先端に行くに従い漸次細幅に形成された細幅部２４とを備えている。軸部２３は、周方向の幅Ｌが軸方向の厚さＴより幅広く形成されており、周方向側に撓み難いが軸方向側に撓み易いようになされている。又、突片２１の軸部２３及び細幅部２４の後面側には、後方側に突出した断面略円弧状の突部２５が備えられている。そして、この突片２１は、軸部２３が胴部３の孔３３内における補強リブ３４の周方向の側方側、本実施形態では周方向の時計方向側に、補強リブ３４の側面３４ａと突片２１の軸部２３の側面２３ａとを対向させるとともに、軸部２３と補強リブ３４との間に殆ど隙間６ができないようにして、孔３３の外周内壁から延設されることにより、先端側の細幅部２４が胴部３の外周側から径内方向に伸ばされ、後方側が穿設孔３０ａによって開放されている。そして、このようにして突片２１が補強リブ３４の周方向の側方側に並設されることにより、突片２１と補強リブ３４との間の部分が、釣り糸Ｔを係止する係止部２２をなし、突片２１と補強リブ３４とが二つの係止体として機能する。又、突片２１の細幅部２４と補強リブ３４との間の部分が受容口２２ａをなし、この受容口２２ａから釣り糸Ｔを係止部２２ａに受容できるようになされている。この受容口２２ａは、突片２１の細幅部２４の先端側で釣り糸Ｔの径より幅広に形成され、係止部２２側に行くに従い漸次幅狭に形成されている。
【００２２】
このように構成された突片２１は、スプール本体１の成型時に、一体的に成型される。例えば図１１(A)(B)に示す従来品のように、挾持体ｅ１と挾持片ｅ２とを軸方向に沿う方向に並設させる場合は、挾持片ｅ２の後面側に挾持体ｅ１が配位されているため、挾持体ｅ１が邪魔になって２つの割り型で挾持片用鋳型部を区画成形して挾持片ｅ２を成形できず、挾持片ｅ２と挾持体ｅ１とを切り離して隙間ｇを形成できなず、スプール本体の成型に際して挾持体ｅ１及び挾持片ｅ２を一体的に成型するのは、技術的に困難である。しかし、この実施形態のように、突片２１を、補強リブ３４の周方向に並設する場合には、突片２１の後方側を開放しておくことができ、スプール本体１の成型に際して２つの割り型で突片用鋳型部を区画成形して突片２１を一体的に成型することができる。これにより、容易に短時間で、しかも低コストで製作し得る。
【００２３】
このようにして形成された巻き終端係止部２に、釣り糸Ｔの巻き終端部Ｔ１を係止するには、例えば釣り糸Ｔをスプール本体１の巻回部５に、反時計方向に複数回巻き終えた後、図４(A)(B)に示すように釣り糸Ｔを案内溝４１に入れる。これにより、釣り糸Ｔの巻き終端部Ｔ１を、巻回部５から外部に出すことができる。その際、案内溝４１を、径方向に対して傾斜状に形成しているため、釣り糸Ｔの巻き終端部Ｔ１を案内溝４１の内壁に引っ掛けるようにして、巻回方向と反対方向に引っ張れば、釣り糸Ｔの巻き終端部Ｔ１を案内溝４１の内壁に沿わせて簡単に案内溝４１の奥に入れることができるとともに、巻回部５に巻回した釣り糸Ｔを引っ張ることができ、緊張状態に巻回したものにできる。又、案内溝４１に入れた釣り糸Ｔの巻き終端部Ｔ１を引っ張り操作する際、案内溝４１の入り口４１の形成された鍔部４の外周端部４２、４２を先鋭状に形成しているため、釣り糸Ｔが、鍔部４の外周側に滑り出てしまうようなことがなく、確実に案内溝４１の奥部（径内方向側）に入れることができる。
【００２４】
そして、その状態から案内溝４１から巻回部５から外部に出した釣り糸Ｔの巻き終端部Ｔ１を、図５(A)(B)に示すように突片２１の後面側の突部２５に回すようにして、受容口２２ａに入れ、その状態から釣り糸Ｔの巻き終端部Ｔ１を、係止部２２側に引っ張り上げる。これにより、突片２１の凸部２５に沿って湾曲状になった釣り糸Ｔに張力がかかり、突片２１が前方側に自然と撓む。又、この突片２１の撓みによって、係止部２２の前後間隔が広がり、釣り糸Ｔを係止部２２に入れることができる。又、その際、受容口２２ａを突片２１の細幅部２４の先端側で釣り糸Ｔの径より幅広に形成しているため、釣り糸Ｔを、受容口２２ａから係止部２２側に容易に送ることができ、突片２１を撓ませ易くできる。従って、釣り糸Ｔを係止部２２に簡単に入れることができる。そして、引っ張り操作している釣り糸Ｔを離せば、撓んだ突片２１の弾性力によって係止部２２が元に戻ろうとし、係止部２２に入った釣り糸Ｔを補強リブ３４との間に押圧して係止できる。又、その際、巻き終端部Ｔ１を突片２１に巻き付けるようにして係止するため、強固に係止しておくことができる。一方、補強リブ３４の周方向に並設した突片２１を軸方向の前方側に撓ませることによって補強リブ３４と突片２１との間に形成した係止部２２の前後間隔を広狭して釣り糸Ｔの巻き終端部Ｔ１を係止するため、複数回の使用により図６(A)(B)に示すように突片２１が湾曲状に塑性変形した場合でも、補強リブ３４と突片２１との間に形成した係止部２２の周方向の隙間６は変わることがなく、巻き終端部Ｔ１を確実に挾持できる。尚、上記のように、釣り糸Ｔの張力によって突片２１を撓ませるようにすれば、釣り糸Ｔを引っ張り操作する一つの操作で行うことでき、操作便利なものにできるが、例えば、予め突片２１の細幅部２４を手で前方側に押圧して撓ませておき、釣り糸Ｔを係止部２２ａに入れた後、突片２１を押圧している手を離すようにしても良い。
【００２５】
尚、本実施形態では、突片２１と補強リブ３４との間の係止部２２に殆ど周方向に隙間６を設けないものにしているが、釣り糸Ｔの径以下の間隔を設けておいても良く、適宜変更できる。更に、本実施形態では、巻き終端係止部２を、スプール本体１の一箇所にだけ設けているが、複数箇所に設けるようにしても良く、例えば図７に示すように六つの補強リブ３４…３４各々の側方側に、突片２１…２１を、案内溝４１…４１と共に夫々設けて六つの巻き終端係止部２…２を形成するようにしても良い。こうすることにより、例えば釣針Ｔ２を有する複数の釣針部Ｔ１…Ｔ１を取り付けた仕掛け糸をスプール本体１の巻回部５に巻回し、巻き終端部となる釣針部Ｔ１…Ｔ１を巻き終端係止部２…２夫々に係止することもでき、仕掛け糸用としても使用し得る便利なものにできる。
【００２６】
又、本実施形態では、巻き終端係止部２の突片２１を、スプール本体１の一部をなす補強リブ３４の側方側に設け、突片２１とスプール本体１の補強リブ３４との間に係止部２２を形成したものとしているが、この形態のものに限らず、例えば図８に示すように予めスプール本体１に突起３５を設けておき、この突起３５の周方向の側方側に突片２１を並設してその間に係止部２２を形成するようにし、巻き終端係止部２を形成するようにしても良い。又、この場合において、突起３５は、可撓性を有するものでも、可撓性を有しないものでも良い。また、三つ以上の突片２１を周方向に並設して複数の係止部２２…２２を設けるようにしても良く、適宜変更し得る。
【００２７】
尚、巻き終端係止部２は、二つの係止体２１、３４、３５を、周方向に並設した形態以外にあっても、軸方向と交わる方向に設ければ、スプール本体１の成型に際して一体的に形成できる。例えば、参考例として示す図９(A)(B)に示すように、突片２１を、穿設孔３０ａの前方側に、スプール本体１における孔３３に胴部３の外周側から径内方向に伸ばすとともに、前方側から後方側に伸ばすことにより、突片２１を胴部３の径方向に並設し、その突片２１と胴部３との間に、深さ方向に漸次隙間６の狭くなる係止部２２を設け、案内溝４１から巻回部５の外に出してきた釣り糸Ｔの巻き終端部Ｔ１を係止部２２に係止するようにしても良い。このようにしても、突片２１の後方側を開放しておくことができ、スプール本体１の成型に際して２つの割り型で突片用鋳型部を区画成形して突片２１を一体的に成型することができる。ただし、この図９(A)(B)は、二つの係止体２１、３４、３５を、周方向に並設した形態ではないため、本願発明の実施の形態ではない。
【００２８】
また、案内溝４１は、設けなくても良く、適宜変更し得る。又、案内溝４１を径方向に対して傾斜させて設ける場合、図１(A) で示したように鍔部４の外周から時計方向側に傾斜するもに限らず、図１(A) 中に点線で示すように鍔部４の外周から略時計方向側に傾斜させても良い。また、このように鍔部４の外周から略反時計方向側に傾斜させる場合には、突片２１を、補強リブ３４の反時計方向側に設けておくようにすれば、釣り糸Ｔを巻回部５に反時計方向側に巻回した際に、釣り糸Ｔの巻き終端部Ｔ１を引っ掛けながら案内溝４１に入れることができる。
【００２９】
【発明の効果】
以上、本願発明は、複数回の使用によっても釣り糸の巻き終端部を確実に係止しておくことのできる釣り糸用スプールを提供することができたものである。
【００３０】
本願の第２の発明は、容易に低コストで製作できる釣り糸用スプールを提供することができたものである。
【００３１】
本願第５の発明は、二つの係止体２１、３４、３５の一方を、スプール本体１における巻回部５の径内側に設けられた補強リブ３４からなるものとすることにより、従来の釣り糸用スプールの補強リブを、二つの係止体の内の一つとして利用でき、経済的なものにできる。
【図面の簡単な説明】
【図１】(A) は、本願発明の釣り糸用スプールの一実施形態の正面図、(B) は、その平面図である。
【図２】(A) は、本願発明の釣り糸用スプールの一実施形態の背面図、(B) は、図１(A) のII−II線断面図である。
【図３】(A) は、巻き終端係止部の要部拡大正面図、(B) は、図３(A) のIII −III 線断面図である。
【図４】(A) は、巻回部に巻回した釣り糸の巻き終端部を案内溝に通した際の正面図、(B) は、その平面図である。
【図５】(A) は、案内溝に通した釣り糸の巻き終端部を巻き終端係止部の係止部に係止した状態の要部拡大断面図、(B) は、図５(A) のV −V 線断面図である。
【図６】(A) は、突片が複数回の使用によって塑性変形した場合の要部拡大断面図、(B) は、その要部拡大正面図である。
【図７】巻き終端係止部の他の実施形態を示す正面図である。
【図８】巻き終端係止部の更に他の実施形態を示す正面図である。
【図９】(A) は、巻き終端係止部の実施形態以外の例を示す正面図、(B) は、図９(A) のIX−IX線断面図である。
【図１０】(A) は、従来例の正面図、(B) は、図９(A) の平面図である。
【図１１】(A) は、他の従来例の正面図であり、(B) は、図１１(A) のＩ−Ｉ線断面図である。
【図１２】他の従来例における係止片が塑性変形した場合の要部拡大断面図である。
【符号の説明】
１            スプール本体
２            巻き終端係止部
３            胴部
４            鍔部
５            巻回部
６            隙間
２１          突片
２２          係止部
３４          補強リブ
３５          突起
４１          案内溝
Ｔ            釣り糸
Ｔ１          巻き終端部
【図１】
0003549414.tif 000002
【図２】
0003549414.tif 000003
【図３】
0003549414.tif 000004
【図４】
0003549414.tif 000005
【図５】
0003549414.tif 000006
【図６】
0003549414.tif 000007
【図７】
0003549414.tif 000008
【図８】
0003549414.tif 000009
【図９】
0003549414.tif 000010
【図１０】
0003549414.tif 000011
【図１１】
0003549414.tif 000012
【図１２】
0003549414.tif 000013